(57)【要約】【課題】３次元光メモリを用いたデータ記録装置、認証装置およびその方法が開示される。【解決手段】本発明にかかる３次元光メモリを用いたデータ記録装置は、記録励起光を第１分解光および第２分解光に分解する記録励起光分解部と、前記分解光の波形情報、波長情報、位相情報、励起光源の回転情報、前記分解光を反射させる反射鏡の配置情報、および３次元光メモリ内の記録座標を含む記録条件を格納する条件格納部と、前記記録条件に相応して、前記分解光を前記反射鏡を介して３次元光メモリに入射させて格納データを記録するデータ記録部とを含む。【選択図】図１
2014216045.tif 000002
【特許請求の範囲】
【請求項１】
記録励起光を第１分解光および第２分解光に分解する記録励起光分解部と、
前記分解光の波形情報、波長情報、位相情報、および前記分解光を反射させる反射鏡の配置情報を含む記録条件を格納する条件格納部と、
前記記録条件に相応して、前記分解光を前記反射鏡を介して３次元光メモリに入射させて格納データを記録するデータ記録部とを含むことを特徴とする、３次元光メモリを用いたデータ記録装置。
【請求項２】
前記記録条件は、
前記３次元光メモリに入射する前記分解光の入射位置情報および入射角度情報をさらに含むことを特徴とする、請求項１に記載の３次元光メモリを用いたデータ記録装置。
【請求項３】
復元励起光を第１分解光および第２分解光に分解する復元励起光分解部と、
３次元光メモリを用いたデータ記録装置によって格納された、前記分解光の波形情報、波長情報、位相情報、励起光源の回転情報、および前記第１分解光を反射させる反射鏡の配置情報を含む記録条件に相応して、前記第１分解光を前記反射鏡を介して３次元光メモリに入射させて格納データを復元するデータ復元部と、
復元された前記格納データおよび予め登録された認証データを用いて認証手順を行う認証実行部とを含むことを特徴とする、３次元光メモリを用いた認証装置。
【請求項４】
前記記録条件は、
前記３次元光メモリに入射する前記分解光の入射位置情報および入射角度情報をさらに含むことを特徴とする、請求項３に記載の３次元光メモリを用いた認証装置。
【請求項５】
前記データ復元部は、
復元方向を異ならせて前記３次元光メモリに並列処理で前記格納データを復元することを特徴とする、請求項４に記載の３次元光メモリを用いた認証装置。
【請求項６】
前記データ復元部は、
前記３次元光メモリを用いたデータ記録装置によって、複数の記録条件に相応して多重記録された前記格納データを、前記複数の記録条件に相応して復元することを特徴とする、請求項５に記載の３次元光メモリを用いた認証装置。
【請求項７】
前記データ復元部は、
前記３次元光メモリを用いたデータ記録装置によって、複数の記録条件に相応して多重記録された前記格納データのうちのいずれか１つ以上を組み合わせた組み合わせデータを復元することを特徴とする、請求項６に記載の３次元光メモリを用いた認証装置。
【請求項８】
記録励起光を第１分解光および第２分解光に分解するステップと、
前記分解光の波形情報、波長情報、位相情報、および前記分解光を反射させる反射鏡の配置情報を含む記録条件を格納するステップと、
前記記録条件に相応して、前記分解光を前記反射鏡を介して３次元光メモリに入射させて格納データを記録するステップとを含むことを特徴とする、３次元光メモリを用いたデータ記録方法。
【請求項９】
復元励起光を第１分解光および第２分解光に分解するステップと、
３次元光メモリを用いたデータ記録方法によって格納された、前記分解光の波形情報、波長情報、位相情報、および前記第１分解光を反射させる反射鏡の配置情報を含む記録条件に相応して、前記第１分解光を前記反射鏡を介して３次元光メモリに入射させて格納データを復元するステップと、
復元された前記格納データおよび予め登録された認証データを用いて認証手順を行うステップとを含むことを特徴とする、３次元光メモリを用いた認証方法。
【発明の詳細な説明】
【技術分野】
【０００１】
本発明は、３次元光メモリを用いたデータ記録装置、認証装置およびその方法に関するものであって、特に、３次元光メモリに格納データを記録し、記録された格納データを復元して認証を行う３次元光メモリを用いたデータ記録装置、認証装置およびその方法に関するものである。
【背景技術】
【０００２】
最近、使用者の認証に対する要求が増加するにつれ、グラフィック認証および指紋認証などの認証方法が使用されている。
一般的に、グラフィック認証および指紋認証を行うために、グラフィックおよび指紋を格納するのに用いられるメモリは２次元メモリであって、認証データを更新するにあたり、その都度追加のデータ記録が要求される問題がある。また、２次元メモリは、格納データの量が増加するほど、格納データを認証データと比較する時間が増加して、認証を行うのに必要な時間が増加する問題がある。
【０００３】
したがって、メモリを用いたデータ記録および認証技術において、より迅速に格納データを認証データと比較して認証を行うことは重要な要素となってきた。
【０００４】
国際公開特許第ＷＯ９９／５７７１９号は、ボログラフィック記録媒体にデータを記録および読み取る装置および方法、並びにボログラフィックデータ記憶システムに関するもので、２次元光メモリを用いて、高密度の格納および復元に関する技術を紹介した。
【０００５】
しかし、このような従来のメモリを用いたデータ記録技術は、認証技術に活用する場合、認証データを更新するにあたり、その都度追加のデータ記録を要求する２次元メモリの問題点をそのまま抱えており、３次元光メモリを用いる構成を開示および示唆していない。
【０００６】
したがって、メモリを用いたデータ記録および認証において、記録時に使用される光の波形情報、波長情報、位相情報、励起光源の回転情報、および３次元光メモリ内の記録座標を多様に変更して互いに異なる格納データを多重記録する構成とすることによって、より高密度の記録を可能にし、記録方向を異ならせて並列処理で格納データを記録および復元してより迅速な記録および復元を可能にし、既に記録された格納データを組み合わせた復元データを用いることによって、その都度追加のデータ記録を要求する問題点を解決する新たな３次元光メモリを用いたデータ記録および認証技術の必要性が切実になってきている。
【先行技術文献】
【特許文献】
【０００７】
【特許文献１】国際公開特許第ＷＯ９９／５７７１９号
【発明の概要】
【発明が解決しようとする課題】
【０００８】
本発明の目的は、３次元光メモリを用いて、記録時に使用される光の波形情報、波長情報、位相情報、励起光源の回転情報、３次元光メモリ内の記録座標を多様に変更して互いに異なる格納データを多重記録することによって、より高密度の記録を可能にすることである。
【０００９】
また、本発明の目的は、３次元光メモリを用いて、記録方向を異ならせて並列処理で格納データを記録および復元することによって、より迅速な記録および復元を可能にすることである。
さらに、本発明の目的は、記録時に使用される光の波形情報、波長情報、位相情報、励起光源の回転情報、３次元光メモリ内の記録座標などの複雑性の高い記録条件を復元条件として活用することによって、より安全な認証を可能にすることである。
【００１０】
また、本発明の目的は、２次元光メモリを用いる場合、認証データを更新するにあたり、その都度追加のデータ記録を要求する問題点を解決して、既に記録された格納データを組み合わせた復元データを用いることによって、より便利に認証データの更新を可能にすることである。
【課題を解決するための手段】
【００１１】
上記の目的を達成するための、本発明にかかる３次元光メモリを用いたデータ記録装置は、記録励起光を第１分解光および第２分解光に分解する記録励起光分解部と、前記分解光の波形情報、波長情報、位相情報、励起光源の回転情報、前記分解光を反射させる反射鏡の配置情報、および３次元光メモリ内の記録座標を含む記録条件を格納する条件格納部と、前記記録条件に相応して、前記分解光を前記反射鏡を介して３次元光メモリに入射させて格納データを記録するデータ記録部とを含む。
【００１２】
この時、前記記録条件は、前記３次元光メモリに入射する前記分解光の入射位置情報および入射角度情報をさらに含むことができる。
この時、前記データ記録部は、記録方向を異ならせて前記３次元光メモリに並列処理で前記格納データを記録することができる。
【００１３】
この時、前記データ記録部は、複数の記録条件下で前記格納データを多重記録することができる。
この時、前記データ記録部は、前記第２分解光を３次元被写体によって乱反射させ、レンズを介して前記３次元光メモリに入射させることができる。
【００１４】
また、本発明にかかる３次元光メモリを用いた認証装置は、復元励起光を第１分解光および第２分解光に分解する復元励起光分解部と、３次元光メモリを用いたデータ記録装置によって格納された、前記分解光の波形情報、波長情報、位相情報、励起光源の回転情報、前記第１分解光を反射させる反射鏡の配置情報、および３次元光メモリ内の記録座標を含む記録条件に相応して、前記第１分解光を前記反射鏡を介して３次元光メモリに入射させて格納データを復元するデータ復元部と、復元された前記格納データおよび予め登録された認証データを用いて認証手順を行う認証実行部とを含む。
【００１５】
この時、前記記録条件は、前記３次元光メモリに入射する前記分解光の入射位置情報および入射角度情報をさらに含むことができる。
この時、前記データ復元部は、復元方向を異ならせて前記３次元光メモリに並列処理で前記格納データを復元することができる。
この時、前記データ復元部は、前記３次元光メモリを用いたデータ記録装置によって、複数の記録条件下で多重記録された前記格納データを、前記複数の記録条件に相応して復元することができる。
【００１６】
この時、前記データ復元部は、前記３次元光メモリを用いたデータ記録装置によって、複数の記録条件下で多重記録された前記格納データのうちのいずれか１つ以上を組み合わせた組み合わせデータを復元することができる。
また、本発明にかかる３次元光メモリを用いたデータ記録方法は、記録励起光を第１分解光および第２分解光に分解するステップと、前記分解光の波形情報、波長情報、位相情報、励起光源の回転情報、前記分解光を反射させる反射鏡の配置情報、および３次元光メモリ内の記録座標を含む記録条件を格納するステップと、前記記録条件に相応して、前記分解光を前記反射鏡を介して３次元光メモリに入射させて格納データを記録するステップとを含む。
【００１７】
この時、前記記録条件は、前記３次元光メモリに入射する前記分解光の入射位置情報および入射角度情報をさらに含むことができる。
この時、前記格納データを記録するステップは、記録方向を異ならせて前記３次元光メモリに並列処理で前記格納データを記録することができる。
【００１８】
この時、前記格納データを記録するステップは、複数の記録条件下で前記格納データを多重記録することができる。
この時、前記格納データを記録するステップは、前記第２分解光を３次元被写体によって乱反射させ、レンズを介して前記３次元光メモリに入射させることができる。
【００１９】
また、本発明にかかる３次元光メモリを用いた認証方法は、復元励起光を第１分解光および第２分解光に分解するステップと、３次元光メモリを用いたデータ記録方法によって格納された、前記分解光の波形情報、波長情報、位相情報、励起光源の回転情報、前記第１分解光を反射させる反射鏡の配置情報、および３次元光メモリ内の記録座標を含む記録条件に相応して、前記第１分解光を前記反射鏡を介して３次元光メモリに入射させて格納データを復元するステップと、復元された前記格納データおよび予め登録された認証データを用いて認証手順を行うステップとを含む。
【００２０】
この時、前記記録条件は、前記３次元光メモリに入射する前記分解光の入射位置情報および入射角度情報をさらに含むことができる。
この時、前記格納データを復元するステップは、復元方向を異ならせて前記３次元光メモリに並列処理で前記格納データを復元することができる。
【００２１】
この時、前記格納データを復元するステップは、前記３次元光メモリを用いたデータ記録方法によって、複数の記録条件下で多重記録された前記格納データを、前記複数の記録条件に相応して復元することができる。
【００２２】
この時、前記格納データを復元するステップは、前記３次元光メモリを用いたデータ記録方法によって、複数の記録条件下で多重記録された前記格納データのうちのいずれか１つ以上を組み合わせた組み合わせデータを復元することができる。
【発明の効果】
【００２３】
本発明によれば、３次元光メモリを用いて、記録時に使用される光の波形情報、波長情報、位相情報、励起光源の回転情報、および３次元光メモリ内の記録座標を多様に変更して互いに異なる格納データを多重記録することによって、より高密度の記録が可能である。
【００２４】
また、本発明は、３次元光メモリを用いて、記録方向を異ならせて並列処理で格納データを記録および復元することによって、より迅速な記録および復元が可能である。
さらに、本発明は、記録時に使用される光の波形情報、波長情報、位相情報、励起光源の回転情報、および３次元光メモリ内の記録座標などの複雑性の高い記録条件を復元条件として活用することによって、より安全な認証が可能である。
【００２５】
また、本発明は、２次元光メモリを用いる場合、認証データを更新するにあたり、その都度追加のデータ記録を要求する問題点を解決して、既に記録された格納データを組み合わせた復元データを用いることによって、より便利に認証データの更新が可能である。
【図面の簡単な説明】
【００２６】
【図１】本発明の一実施形態にかかる３次元光メモリを用いたデータ記録装置を示すブロック図である。
【図２】本発明の一実施形態にかかる３次元光メモリを用いた認証装置を示すブロック図である。
【図３】本発明の一実施形態にかかる３次元光メモリを用いたデータ記録方法を示す動作フローチャートである。
【図４】本発明の一実施形態にかかる３次元光メモリを用いた認証方法を示す動作フローチャートである。
【図５】本発明のデータ記録部１３０による格納データ記録の一例を示す図である。
【図６】本発明のデータ復元部２２０による格納データ復元の一例を示す図である。
【発明を実施するための形態】
【００２７】
以下、本発明を添付した図面を参照して詳細に説明する。ここで、繰り返される説明、本発明の要旨を不明にする可能性がある公知の機能、および構成に関する詳細な説明は省略する。本発明の実施形態は、当業界における平均的な知識を有する者に本発明をより完全に説明するために提供されるものである。したがって、図面における要素の形状および大きさなどは、より明確な説明のために誇張されることがある。
【００２８】
以下、本発明にかかる好ましい実施形態を、添付した図面を参照して詳細に説明する。
図１は、本発明の一実施形態にかかる３次元光メモリを用いたデータ記録装置を示すブロック図である。
【００２９】
図１を参照すれば、本発明の一実施形態にかかる３次元光メモリを用いたデータ記録装置は、記録励起光分解部１１０と、条件格納部１２０と、データ記録部１３０とを含む。
【００３０】
記録励起光分解部１１０は、励起光５２０を第１分解光５２１および第２分解光５２２に分解する。
この時、第１分解光５２１は参照光であり、第２分解光５２２は物体光であってもよい。
条件格納部１２０は、分解光５２１および５２２の波形情報、波長情報、位相情報、励起光源５１０の回転情報、分解光５２１および５２２を反射させる反射鏡５４１および５４２の配置情報、および３次元光メモリ５６０内の記録座標を含む記録条件を格納する。
【００３１】
この時、前記記録条件は、３次元光メモリ５６０に入射する分解光５２１および５２２の入射位置情報および入射角度情報をさらに含むことができる。
この時、前記記録条件は、データ記録部１３０によって前記格納データに区別コードが付加された場合、前記区別コードをさらに含むことができる。
【００３２】
データ記録部１３０は、前記記録条件に相応して、分解光５２１および５２２を前記反射鏡５４１および５４２を介して３次元光メモリ５６０に入射させて格納データを記録する。
この時、データ記録部１３０は、３次元光メモリ５６０に入射した分解光５２１および５２２間の干渉縞を前記格納データとして記録することができる。
【００３３】
この時、データ記録部１３０は、３次元光メモリ５６０に入射した分解光５２１および５２２間の干渉縞である３次元データを前記格納データとして記録することができる。
例えば、前記３次元データは、３次元配列形態で並べられたデータであってもよい。
【００３４】
この時、３次元光メモリ５６０は、光屈折結晶媒質（ｐｈｏｔｏｒｅｆｒａｃｔｉｖｅ  ｍａｔｅｒｉａｌ）を用いたものであってもよい。
この時、データ記録部１３０は、記録方向を異ならせて３次元光メモリ５６０に並列処理で前記格納データを記録することができる。
【００３５】
この時、データ記録部１３０は、複数の記録条件下で前記格納データを多重記録することができる。
この時、データ記録部１３０は、前記格納データに区別コードを付加して前記格納データを多重記録することができる。
【００３６】
この時、データ記録部１３０は、第２分解光５２２を３次元被写体５５１によって乱反射させ、レンズ５５２を介して３次元光メモリ５６０に入射させることができる。
この時、データ記録部１３０は、３次元被写体５５１の形態である３次元データを前記格納データとして記録することができる。
【００３７】
図２は、本発明の一実施形態にかかる３次元光メモリを用いた認証装置を示すブロック図である。
図２を参照すれば、本発明の一実施形態にかかる３次元光メモリを用いた認証装置は、復元励起光分解部２１０と、データ復元部２２０と、認証実行部２３０とを含む。
【００３８】
復元励起光分解部２１０は、励起光５２０を第１分解光５２１および第２分解光５２２に分解する。
この時、第１分解光５２１は参照光であり、第２分解光５２２は物体光であってもよい。
データ復元部２２０は、記録条件に相応して、第１分解光５２１を前記反射鏡５４１を介して３次元光メモリ５６０に入射させて格納データを復元する。
【００３９】
この時、前記記録条件は、３次元光メモリを用いたデータ記録装置によって格納された、第１分解光５２１の波形情報、波長情報、位相情報、励起光源５１０の回転情報、第１分解光５２１を反射させる反射鏡５４１の配置情報、および３次元光メモリ５６０内の記録座標を含む。
【００４０】
この時、前記記録条件は、前記３次元光メモリ５６０に入射する第１分解光５２１の入射位置情報および入射角度情報をさらに含むことができる。
この時、前記記録条件は、前記３次元光メモリを用いたデータ記録装置によって前記格納データに区別コードが付加された場合、前記区別コードをさらに含むことができる。
【００４１】
この時、データ復元部２２０は、前記格納データから、３次元被写体５５１の形態である３次元データを復元することができる。
例えば、前記３次元データは、３次元配列形態で並べられたデータであってもよい。
この時、３次元光メモリ５６０は、光屈折結晶媒質（ｐｈｏｔｏｒｅｆｒａｃｔｉｖｅ  ｍａｔｅｒｉａｌ）を用いたものであってもよい。
【００４２】
この時、データ復元部２２０は、復元方向を異ならせて前記３次元光メモリ５６０に並列処理で前記格納データを復元することができる。
この時、データ復元部２２０は、前記３次元光メモリを用いたデータ記録装置によって、複数の記録条件下で多重記録された前記格納データを、前記複数の記録条件に相応して復元することができる。
【００４３】
この時、データ復元部２２０は、前記３次元光メモリを用いたデータ記録装置によって、複数の記録条件下で多重記録された前記格納データのうちのいずれか１つ以上を組み合わせた組み合わせデータを復元することができる。
認証実行部２３０は、復元された前記格納データおよび予め登録された認証データを用いて認証手順を行う。
【００４４】
この時、認証実行部２３０は、前記組み合わせデータを復元し、これを前記予め登録された認証データを用いて認証手順を行うことができる。
このように、認証実行部２３０は、追加のデータ記録なくても、前記組み合わせによる組み合わせデータを復元することによって、認証データを更新することができる。
【００４５】
図３は、本発明の一実施形態にかかる３次元光メモリを用いたデータ記録方法を示す動作フローチャートである。
図３を参照すれば、本発明の一実施形態にかかる３次元光メモリを用いたデータ記録方法は、励起光５２０を第１分解光５２１および第２分解光５２２に分解する（Ｓ３１０）。
【００４６】
この時、第１分解光５２１は参照光であり、第２分解光５２２は物体光であってもよい。
また、本発明の一実施形態にかかる３次元光メモリを用いたデータ記録方法は、分解光５２１および５２２の波形情報、波長情報、位相情報、励起光源５１０の回転情報、分解光５２１および５２２を反射させる反射鏡５４１および５４２の配置情報、および３次元光メモリ５６０内の記録座標を含む記録条件を格納する（Ｓ３２０）。
【００４７】
この時、前記記録条件は、３次元光メモリ５６０に入射する分解光５２１および５２２の入射位置情報および入射角度情報をさらに含むことができる。
この時、前記記録条件は、データ記録部１３０によって前記格納データに区別コードが付加された場合、前記区別コードをさらに含むことができる。
【００４８】
また、本発明の一実施形態にかかる３次元光メモリを用いたデータ記録方法は、前記記録条件に相応して、分解光５２１および５２２を前記反射鏡５４１および５４２を介して３次元光メモリ５６０に入射させて格納データを記録する（Ｓ３３０）。
【００４９】
この時、ステップＳ３３０は、３次元光メモリ５６０に入射した分解光５２１および５２２間の干渉縞を前記格納データとして記録することができる。
この時、ステップＳ３３０は、３次元光メモリ５６０に入射した分解光５２１および５２２間の干渉縞である３次元データを前記格納データとして記録することができる。
【００５０】
例えば、前記３次元データは、３次元配列形態で並べられたデータであってもよい。
この時、３次元光メモリ５６０は、光屈折結晶媒質（ｐｈｏｔｏｒｅｆｒａｃｔｉｖｅ  ｍａｔｅｒｉａｌ）を用いたものであってもよい。
この時、ステップＳ３３０は、記録方向を異ならせて３次元光メモリ５６０に並列処理で前記格納データを記録することができる。
【００５１】
この時、ステップＳ３３０は、複数の記録条件下で前記格納データを多重記録することができる。
この時、ステップＳ３３０は、前記格納データに区別コードを付加して前記格納データを多重記録することができる。
【００５２】
この時、ステップＳ３３０は、第２分解光５２２を３次元被写体５５１によって乱反射させ、レンズ５５２を介して３次元光メモリ５６０に入射させることができる。
【００５３】
この時、ステップＳ３３０は、３次元被写体５５１の形態である３次元データを前記格納データとして記録することができる。
図４は、本発明の一実施形態にかかる３次元光メモリを用いた認証方法を示す動作フローチャートである。
【００５４】
図４を参照すれば、本発明の一実施形態にかかる３次元光メモリを用いた認証方法は、励起光５２０を第１分解光５２１および第２分解光５２２に分解する（Ｓ４１０）。
この時、第１分解光５２１は参照光であり、第２分解光５２２は物体光であってもよい。
【００５５】
また、本発明の一実施形態にかかる３次元光メモリを用いた認証方法は、記録条件に相応して、第１分解光５２１を前記反射鏡５４１を介して３次元光メモリ５６０に入射させて格納データを復元する（Ｓ４２０）。
【００５６】
この時、前記記録条件は、３次元光メモリを用いたデータ記録装置によって格納された、第１分解光５２１の波形情報、波長情報、位相情報、励起光源５１０の回転情報、第１分解光５２１を反射させる反射鏡５４１の配置情報、および３次元光メモリ５６０内の記録座標を含む。
【００５７】
この時、前記記録条件は、前記３次元光メモリ５６０に入射する第１分解光５２１の入射位置情報および入射角度情報をさらに含むことができる。
この時、前記記録条件は、前記３次元光メモリを用いたデータ記録装置によって前記格納データに区別コードが付加された場合、前記区別コードをさらに含むことができる。
【００５８】
この時、ステップＳ４２０は、前記格納データから、３次元被写体５５１の形態である３次元データを復元することができる。
例えば、前記３次元データは、３次元配列形態で並べられたデータであってもよい。
【００５９】
この時、３次元光メモリ５６０は、光屈折結晶媒質（ｐｈｏｔｏｒｅｆｒａｃｔｉｖｅ  ｍａｔｅｒｉａｌ）を用いたものであってもよい。
この時、ステップＳ４２０は、復元方向を異ならせて前記３次元光メモリ５６０に並列処理で前記格納データを復元することができる。
【００６０】
この時、ステップＳ４２０は、前記３次元光メモリを用いたデータ記録装置によって、複数の記録条件下で多重記録された前記格納データを、前記複数の記録条件に相応して復元することができる。
この時、ステップＳ４２０は、前記３次元光メモリを用いたデータ記録装置によって、複数の記録条件下で多重記録された前記格納データのうちのいずれか１つ以上を組み合わせた組み合わせデータを復元することができる。
【００６１】
また、本発明の一実施形態にかかる３次元光メモリを用いた認証方法は、復元された前記格納データおよび予め登録された認証データを用いて認証手順を行う（Ｓ４３０）。
この時、認証実行部２３０は、前記組み合わせデータを復元し、これを前記予め登録された認証データを用いて認証手順を行うことができる。
【００６２】
このように、認証実行部２３０は、追加のデータ記録なくても、前記組み合わせによる組み合わせデータを復元することによって、認証データを更新することができる。
図５は、本発明のデータ記録部１３０による格納データ記録の一例を示す図である。
【００６３】
図５を参照すれば、本発明のデータ記録部１３０は、励起光源５１０で生成された励起光５２０を光分解器５３０に通過させ、分解した分解光５２１および５２２を反射鏡５４１および５４２を介して３次元光メモリ５６０に入射させて格納データを記録することが分かる。
【００６４】
また、データ記録部１３０は、第２分解光５２２を３次元被写体５５１によって乱反射させ、レンズ５５２を介して３次元光メモリ５６０に入射させることが分かる。
この時、データ記録部１３０は、入射した分解光５２１および５２２間の干渉縞を前記格納データとして記録することができる。
【００６５】
この時、データ記録部１３０は、入射した分解光５２１および５２２間の干渉縞である３次元データを前記格納データとして記録することができる。
例えば、前記３次元データは、３次元配列形態で並べられたデータであってもよい。
この時、３次元光メモリ５６０は、光屈折結晶媒質（ｐｈｏｔｏｒｅｆｒａｃｔｉｖｅ  ｍａｔｅｒｉａｌ）を用いたものであってもよい。
【００６６】
この時、データ記録部１３０は、記録方向を異ならせて３次元光メモリ５６０に並列処理で前記格納データを記録することができる。
この時、データ記録部１３０は、複数の記録条件下で前記格納データを多重記録することができる。
【００６７】
この時、データ記録部１３０は、前記格納データに区別コードを付加して前記格納データを多重記録することができる。
この時、データ記録部１３０は、３次元被写体５５１の形態である３次元データを前記格納データとして記録することができる。
【００６８】
この時、条件格納部１２０は、分解光５２１および５２２の波形情報、波長情報、位相情報、励起光源５１０の回転情報を含む記録条件を格納することができる。
この時、前記記録条件は、分解光５２１および５２２を反射させる反射鏡５４１および５４２の配置情報をさらに含むことができる。
【００６９】
この時、前記記録条件は、３次元光メモリ５６０内の記録座標をさらに含むことができる。
この時、前記記録条件は、３次元光メモリ５６０に入射する分解光５２１および５２２の入射位置情報および入射角度情報をさらに含むことができる。
この時、前記記録条件は、前記区別コードをさらに含むことができる。
【００７０】
図６は、本発明のデータ復元部２２０による格納データ復元の一例を示す図である。
図６を参照すれば、本発明のデータ復元部２２０は、励起光源５１０で生成された励起光５２０を光分解器５３０に通過させ、分解した分解光５２１および５２２のうちの第１分解光５２１を反射鏡５４１を介して３次元光メモリ５６０に入射させて格納データを復元することが分かる。
【００７１】
この時、データ復元部２２０は、記録条件に相応して、格納データを復元する。
この時、前記記録条件は、３次元光メモリを用いたデータ記録装置によって格納され、第１分解光５２１の波形情報、波長情報、位相情報、励起光源５１０の回転情報を含むことができる。
この時、前記記録条件は、第１分解光５２１を反射させる反射鏡５４１の配置情報をさらに含むことができる。
【００７２】
この時、前記記録条件は、３次元光メモリ５６０内の記録座標をさらに含むことができる。
この時、前記記録条件は、前記３次元光メモリを用いたデータ記録装置によって前記格納データに区別コードが付加された場合、前記区別コードをさらに含むことができる。
【００７３】
この時、データ復元部２２０は、前記格納データから、３次元被写体５５１の形態である３次元データを復元することができる。
例えば、前記３次元データは、３次元配列形態で並べられたデータであってもよい。
この時、３次元光メモリ５６０は、光屈折結晶媒質（ｐｈｏｔｏｒｅｆｒａｃｔｉｖｅ  ｍａｔｅｒｉａｌ）を用いたものであってもよい。
【００７４】
この時、データ復元部２２０は、復元方向を異ならせて前記３次元光メモリ５６０に並列処理で前記格納データを復元することができる。
この時、データ復元部２２０は、前記３次元光メモリを用いたデータ記録装置によって、複数の記録条件下で多重記録された前記格納データを、前記複数の記録条件に相応して復元することができる。
【００７５】
この時、データ復元部２２０は、前記３次元光メモリを用いたデータ記録装置によって、複数の記録条件下で多重記録された前記格納データのうちのいずれか１つ以上を組み合わせた組み合わせデータを復元することができる。
【００７６】
以上、本発明にかかる３次元光メモリを用いたデータ記録装置、認証装置およびその方法は、上記のように説明された実施形態の構成および方法が限定されて適用されるものではなく、上記の実施形態は多様に変形できるように各実施形態の全部または一部が選択的に組み合わされて構成されてもよい。
【符号の説明】
【００７７】
１１０：記録励起光分解部
１２０：条件格納部
１３０：データ記録部
２１０：復元励起光分解部
２２０：データ復元部
２３０：認証実行部
５１０：励起光源
５２０：励起光
５２１：第１分解光
５２２：第２分解光
５３０：光分解器
５４１および５４２：反射鏡
５５１：３次元被写体
５５２：レンズ
５６０：３次元光メモリ
【図１】
2014216045.tif 000003
【図２】
2014216045.tif 000004
【図３】
2014216045.tif 000005
【図４】
2014216045.tif 000006
【図５】
2014216045.tif 000007
【図６】
2014216045.tif 000008